(57)【要約】      （修正有）【課題】簡易に交換可能な透光板を具えた嵌め込み式ＬＥＤ照明装置を提供する。【解決手段】上記照明装置は、放熱ベース１０、ＬＥＤモジュール２０、スリーブ３０、透光板４０及び位置決め部品５０を包含する。該放熱ベースに一つの表面が設けられ、ＬＥＤ２４を含むＬＥＤモジュール２０は該放熱ベースの表面に取り付けられ、該スリーブは該放熱ベースの該表面に固定されてＬＥＤモジュール２０は該スリーブ内に位置付けられ、且つ該スリーブは開口端３４を有し、該開口端に内向きに突出するフランジ３６が形成され、該透光板は該スリーブ内のフランジに設けられ、該スリーブの開口端を閉じ、該位置決め部品は該スリーブ内にあって、該スリーブの上方に設けられて該透光板を該スリーブのフランジ上端に固定する。【選択図】図２
0003157516.tif 000002
【実用新案登録請求の範囲】
【請求項１】
透光板を具えた嵌め込み式ＬＥＤ照明装置において、
第１表面と第２表面とを具えた放熱ベースと、
該放熱ベースの該第１表面に固定されるＬＥＤモジュールと、
該放熱ベースの該第１表面に固定されて該ＬＥＤモジュールを内側に配置させ、内向きにフランジが形成された開口端を具えているスリーブと、
該スリーブの該フランジ上に設けられて該スリーブの該開口端を閉じる透光板と、
該スリーブ内に設けられて該透光板の上方に位置し、該透光板を該スリーブの該フランジの上端に固定する位置決め部品と、
を包含することを特徴とする、透光板を具えた嵌め込み式ＬＥＤ照明装置。
【請求項２】
請求項１記載の透光板を具えた嵌め込み式ＬＥＤ照明装置において、該スリーブが更に外フランジを具え、該外フランジは該放熱ベースの該第１表面上に固定されることを特徴とする、透光板を具えた嵌め込み式ＬＥＤ照明装置。
【請求項３】
請求項１記載の透光板を具えた嵌め込み式ＬＥＤ照明装置において、該位置決め部品は固定部と押さえ部を具え、該固定部が該スリーブ内への固定に用いられ、該押さえ部は該透光板を該スリーブの該フランジ上に押さえることを特徴とする、透光板を具えた嵌め込み式ＬＥＤ照明装置。
【請求項４】
請求項１記載の透光板を具えた嵌め込み式ＬＥＤ照明装置において、該位置決め部品は片状体とされて固定部と押さえ部を具え、該固定部が該スリーブ内への固定に用いられ、該押さえ部は該透光板を該スリーブの該フランジ上に押さえることを特徴とする、透光板を具えた嵌め込み式ＬＥＤ照明装置。
【請求項５】
請求項４記載の透光板を具えた嵌め込み式ＬＥＤ照明装置において、該位置決め部品の該固定部と該押さえ部はある角度を形成することを特徴とする、透光板を具えた嵌め込み式ＬＥＤ照明装置。
【請求項６】
請求項４記載の透光板を具えた嵌め込み式ＬＥＤ照明装置において、更に固定部品を包含し、該固定部品により該位置決め部品の該固定部が該スリーブ中に固定されることを特徴とする、透光板を具えた嵌め込み式ＬＥＤ照明装置。
【考案の詳細な説明】
【技術分野】
【０００１】
本考案は透光板を具えた嵌め込み式ＬＥＤ照明装置に係り、特に透光板をスピーディーに固定或いは交換できる嵌め込み式ＬＥＤ照明装置に関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ただし、ＬＥＤを発光源とする照明装置を応用する時、複数のＬＥＤを回路板上に設置してＬＥＤモジュールを構成し、このＬＥＤモジュールは動作時に光線を発射する時、各ＬＥＤが独立動作して発光し、照明器具に応用する場合、往々にして視覚上の不適を形成し、このためＬＥＤを発光源とする照明装置は、使用上、往々にして透光板を設置してこの問題を解決する必要がある。
【考案の概要】
【考案が解決しようとする課題】
【０００６】
しかし、透光板は固定時に、一般にネジを利用して直接照明装置に固定されるため、照明装置の外観を損ない、且つ透光板を取り付ける或いは交換する時にも相当に不便である。このため、透光板に良好な固定構造を具備させつつ、透光板のスピーディーな交換を達成できる構造が、業界における技術開発の重要な課題である。
【０００７】
従来の技術に存在する問題を鑑み、本考案は一種の、透光板を具えた嵌め込み式ＬＥＤ照明装置を提供することを目的とし、それはスピーディーな透光板の固定或いは交換の効果を具えたものとする。
【課題を解決するための手段】
【０００８】
本考案は放熱ベース、ＬＥＤモジュール、スリーブ、透光板及び位置決め部品を包含する。該放熱ベースに一つの表面が設けられ、該ＬＥＤモジュールは該放熱ベースの該表面に取り付けられ、該スリーブは該放熱ベースの該表面に固定されてＬＥＤモジュールは該スリーブ内に位置付けられ、且つ該スリーブは開口端を有し、該開口端に内向きに突出するフランジが形成され、該透光板は該スリーブ内のフランジに設けられ、該スリーブの開口端を閉じ、該位置決め部品は該スリーブ内にあって、該スリーブの上方に設けられて該透光板を該スリーブのフランジ上端に固定する。これにより、スピーディーに透光板を交換或いは固定できる固定構造を提供している。
【考案の効果】
【０００９】
本考案は一種の、透光板を具えた嵌め込み式ＬＥＤ照明装置を提供し、それはスピーディーな透光板の固定或いは交換の効果を具えている。
【図面の簡単な説明】
【００１０】
【図１】本考案の透光板を具えた嵌め込み式ＬＥＤ照明装置の立体分解図である。
【図２】図１を組み合わせた後の断面図である。
【考案を実施するための形態】
【００１１】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１２】
図１は本考案の透光板を具えた嵌め込み式ＬＥＤ照明装置の立体分解図である。それは、放熱ベース１０、ＬＥＤモジュール２０、スリーブ３０、透光板４０及び位置決め部品５０（本実施例では二つの位置決め部品の実施態様とされている）を包含する。
【００１３】
該放熱ベース１０は加圧加工により形成され、第１表面１２及び第２表面１４を具え、且つ放熱ベース１０は中央部分から外向きに輻射状を呈する複数の放熱片１６が形成されている。
【００１４】
ＬＥＤモジュール２０は、回路板２２及び該回路板２２に設けられた一つ以上のＬＥＤ２４を包含する回路板２２は直接放熱ベース１０の第１表面１２上に固定される。
【００１５】
スリーブ３０は中空体とされ、一端に外向きに外フランジ３２が、他端に開口端３４が形成され、且つ開口端３４に内向きにフランジ３６が形成され、スリーブ３０の周縁側壁に第１固定孔３８が形成され、該外フランジ３２は直接放熱ベース１０の第１表面１２上に固定され、これによりＬＥＤモジュール２０がスリーブ３０内に配置される。
【００１６】
透光板４０は、スリーブ３０内部に設けられ、スリーブ３０のフランジ３６上方に位置してスリーブ３０の開口端３４を被覆してスリーブ３０を閉じる。
【００１７】
位置決め部品５０は片状体とされ、スリーブ３０内に設けられ、固定部５２と押さえ部５４を包含し、固定部５２と押さえ部５４の間に角度が形成され、固定部はスリーブ３０内への枢設に、押さえ部５４は透光板４０上を押さえるのに用いられ、該固定部５２に該第１固定孔３８と対応する第２固定孔５６が設けられ、固定部５２が固定部品６０が第１固定孔３８と第２固定孔５６に通されることで、固定部５２がスリーブ３０内に枢設される。
【００１８】
本実施例では、固定部品６０はネジが採用され、これにより、固定部品６０がスリーブ３０外部より第１固定孔３８及び固定部５２の第２固定孔５６に通された後、スリーブ３０内部でナット６２を固定部品６０と結合させて固定部５２をスリーブ３０内に枢設する必要がある。
【００１９】
図２は本考案の図１を組み合わせた後の断面図である。図示されるように、組み合わせ時に、ＬＥＤモジュール２０の回路板２２が直接放熱ベース１０上に固定され、透光板４０がスリーブ３０内部に置かれ、それがスリーブ３０のフランジ３６上方に置かれ、スリーブ３０の開口端３４部分を被覆する。
【００２０】
さらに、位置決め部品５０がスリーブ３０内に置かれ、並びに固定部品６０がスリーブ３０外部よりスリーブ３０の第１固定孔３８と固定部５２の第２固定孔５６に通された後、スリーブ３０内部でナット６２が固定部品６０に螺合されること、位置決め部品５０の固定部５２がスリーブ３０内部に枢設される。位置決め部品５０の固定部５２と押さえ部５４の間にはある角度が形成されて、これにより押さえ部５４はスリーブ３０中で、スリーブ３０内部に向けて延伸され、透光板４０の上方を押さえ、透光板４０に、押さえ部５４とスリーブ３０の開口端３４のフランジ３６との間で挟持力を受けさせ、透光板４０がスピーディーにフランジ３６上方に固定され、これによりスリーブ３０の開口端３４を閉じる効果を達成する。
【００２１】
最後に、透光板４０が取り付けられたスリーブ３０は外スリーブ３２を介して放熱ベース１０の第１表面１２上に固定され、こうしてＬＥＤモジュール２０がスリーブ３０内部に配置され、ＬＥＤモジュール２０のＬＥＤ２４が釈放する光線が透光板４０を通して外部に射出される。
【００２２】
以上の構造の組み合わせにより、透光板４０は位置決め部品５０の押さえ部５４とスリーブ３０の開口端３４のフランジ３６の発生する挟持力を受け、該透光板４０がしっかりとスリーブ３０内に固定される。こうして、組立に便利であるのみならず、透光板をスピーディーに固定或いは交換できる嵌め込み式ＬＥＤ照明装置が提供される。
【００２３】
本考案は前述の実施例を以て開示されたが、それは本考案を限定するためのものではなく、この技術に通じた者が、本考案の精神と範囲内においてなし得る変更或いは修飾は、いずれも本考案の権利請求の範囲に属するものとする。
【符号の説明】
【００２４】
１０  放熱ベース                      ３６  フランジ
１２  第１表面                        ３８  第１固定孔
１４  第２表面                        ４０  透光板
１６  放熱片                          ５０  位置決め部品
２０  ＬＥＤモジュール                ５２  固定部
２２  回路板                          ５４  押さえ部
２４  ＬＥＤ                          ５６  第２固定孔
３０  スリーブ                        ６０  固定部品
３２  外フランジ                      ６２  ナット
３４  開口端
【図１】
0003157516.tif 000003
【図２】
0003157516.tif 000004